(57)【要約】  照明デバイスが提供される。本照明デバイスは、少なくとも第１及び第２の周波数の交流電流を供給するように構成されている少なくとも１つの交流電源と、少なくとも１つの光源と、光源に接続され、少なくとも１つの交流電源から少なくとも１つの光源を通る第１の電流の流れに影響を与える少なくとも１つのインピーダンスユニットとを含み、インピーダンスユニットのインピーダンスは、交流電流が第１の周波数である時には第１の電流を比較的大きくし、交流電流が第２の周波数である時には第１の電流を比較的小さくするように周波数制御されるように構成されている。対応するディスプレイデバイス、テレビジョンデバイス、及び方法も提供される。【選択図】図２
2009527073.tif 000002
【特許請求の範囲】
【請求項１】
照明デバイスであって、
少なくとも第１及び第２の周波数の交流電流を供給するように構成されている少なくとも１つの交流電源と、
少なくとも１つの光源と、
上記光源に接続され、上記少なくとも１つの交流電源から上記少なくとも１つの光源を通る第１の電流の流れに影響を与える少なくとも１つのインピーダンスユニットと、を含み、
上記インピーダンスユニットのインピーダンスは、上記交流電流が上記第１の周波数を有するときには上記第１の電流を比較的大きくし、上記交流電流が上記第２の周波数を有するときには上記第１の電流を比較的小さくするように周波数制御されるように構成されていることを特徴とする照明デバイス。
【請求項２】
上記照明デバイスは、第１の電流を第１の方向へ流すことができるように配列された発光ダイオードを含む少なくとも１つの光源を有する第１の発光ダイオード列と、第２の電流を第２の方向へ流すことができるように配列された発光ダイオードを含む少なくとも１つの光源を有する第２の発光ダイオード列とを備え、上記第２の方向は上記第１の方向とは異なることを特徴とする請求項１に記載の照明デバイス。
【請求項３】
上記第１の発光ダイオード列は上記インピーダンスユニットと並列に接続され、上記第２の発光ダイオード列は上記インピーダンスユニットと並列に接続されていることを特徴とする請求項２に記載の照明デバイス。
【請求項４】
複数の発光ダイオードデバイスを含み、上記各発光ダイオードデバイスは、少なくとも１つの光源と、少なくとも１つのインピーダンスユニットとを含み、上記発光ダイオードデバイスは、直列接続されて発光ダイオードデバイス列を形成し、上記発光ダイオードデバイス列は、上記少なくとも１つの交流電源の少なくとも１つに接続されていることを特徴とする請求項２または３に記載の照明デバイス。
【請求項５】
複数の上記発光ダイオードデバイス列が並列に接続されていることを特徴とする請求項４に記載の照明デバイス。
【請求項６】
全ての発光ダイオードデバイスのインピーダンスユニットのインピーダンスは、上記交流電源が発生できる如何なる周波数に対してもフォールトトレランス内で同一であり、１つの交流電源が、全ての発光ダイオードデバイス列に交流電流を供給するように配列されていることを特徴とする請求項４または５に記載の照明デバイス。
【請求項７】
上記インピーダンスは、各発光ダイオード列内の発光ダイオードデバイスのインピーダンスユニット間で異なり、１つの交流電源が、上記発光ダイオード列の全てに交流電流を供給するように配列されていることを特徴とする請求項４または５に記載の照明デバイス。
【請求項８】
上記インピーダンスは、各発光ダイオード列内の発光ダイオードデバイスのインピーダンスユニット間で異なり、１つの交流電源が、上記各発光ダイオード列に交流電流を供給するように配列されていることを特徴とする請求項４または５に記載の照明デバイス。
【請求項９】
複数の上記発光ダイオード列の各列において、各列の対応する位置にある発光ダイオードデバイスのインピーダンスユニットは、上記交流電源が発生できる如何なる周波数に対してもフォールトトレランス内で同一のインピーダンスを有することを特徴とする請求項４または５に記載の照明デバイス。
【請求項１０】
上記発光ダイオードデバイス列は、１つの印刷回路基板上に実現されていることを特徴とする請求項４乃至９のいずれか１項に記載の照明デバイス。
【請求項１１】
上記少なくとも１つの光源の各々は、蛍光ランプであることを特徴とする請求項１に記載の照明デバイス。
【請求項１２】
複数のマルチランプドライバを含み、上記各マルチランプドライバは、交流電源と、複数のインピーダンスユニットとを含み、上記マルチランプドライバは、複数の蛍光ランプに電力を供給するように構成されていることを特徴とする請求項１１に記載の照明デバイス。
【請求項１３】
上記インピーダンスユニットは、インダクタと並列に接続されている第１のキャパシタを含むことを特徴とする請求項１乃至１２のいずれか１項に記載の照明デバイス。
【請求項１４】
上記インピーダンスユニットは、上記インダクタに直列接続されている第２のキャパシタを更に含むことを特徴とする請求項１３に記載の照明デバイス。
【請求項１５】
液晶ディスプレイテレビジョンのためのバックライトの形状であることを特徴とする請求項１乃至１４のいずれか１項に記載の照明デバイス。
【請求項１６】
ディスプレイデバイスであって、液晶ディスプレイ、及び請求項１乃至１５のいずれか１項に記載の照明デバイスを含むことを特徴とするディスプレイデバイス。
【請求項１７】
テレビジョンデバイスであって、請求項１６に記載のディスプレイデバイスを含むことを特徴とするテレビジョンデバイス。
【請求項１８】
照明デバイスの光強度を制御する方法であって、
少なくとも第１及び第２の周波数の交流電流を供給するように構成されている少なくとも１つの交流電源を配列するステップと、
少なくとも１つの光源を接続するステップと、
上記光源に接続され、上記少なくとも１つの交流電源から上記少なくとも１つの光源を通る第１の電流の流れに影響を与える少なくとも１つのインピーダンスユニットを接続するステップと、
上記交流電流が上記第１の周波数を有するときには上記第１の電流を比較的大きくし、上記交流電流が上記第２の周波数を有するときには上記第１の電流を比較的小さくするように、周波数制御を使用して上記インピーダンスユニットのインピーダンスを制御するステップと、を含むことを特徴とする方法。
【発明の詳細な説明】
【技術分野】
【０００１】
本発明は照明デバイスに関し、特に発光ダイオードの光強度の制御に関する。
【背景技術】
【０００２】
発光ダイオード（ＬＥＤ）は、多くの目的のために使用することができる。このような目的の１つは、液晶ディスプレイ（ＬＣＤ）ＴＶのためのバックライティングを行うことである。他のＴＶ技術を用いる場合には、光は画像レンダリングの一部として生成されることが多い。例えば、陰極線管（ＣＲＴ）ＴＶにおいては、電子が蛍光スクリーンに衝突してユーザに対してビデオ画像を描き、ここで光はビデオ画像が描かれるのと同一のプロセスで発生する。しかしながら、ＬＣＤ ＴＶにおいてはＬＣＤを使用する画像のレンダリングそのものが本質的に光を発生することはなく、ユーザが十分な光強度でビデオ画像を見ることができるようにするためには、部屋からの反射光か、またはより一般的に光源からの光の何れかを必要とする。
【０００３】
従来技術においては、ＬＣＤ ＴＶのためのバックライトとしてＬＥＤまたは蛍光ランプを使用することが知られている。
【発明の開示】
【発明が解決しようとする課題】
【０００４】
バックライトにＬＥＤを使用すると、これらのＬＥＤを駆動し、制御するためのアクティブなスイッチを持った複雑なマトリックス構造を必要とする。特に、走査、調光、及び局部的なハイライティングのような機能を実現する場合、トポロジがかなり複雑になる。実際には、これらのデバイスの全てを接続するために、大面積の印刷回路基板（ＰＣＢ）が必要である。これは、バックライトを余りにも高価にし得る高コストの問題をもたらす。従って、簡単且つ安価なＬＥＤ制御の解決法が要望されている。
【０００５】
バックライトに蛍光ランプを使用すると、各蛍光ランプに１つずつのインバータ（電源）を必要とするという問題を生ずる。インバータは極めて高価であるから、所要インバータの数を減少させることが望まれる。
【課題を解決するための手段】
【０００６】
以上に鑑みて、本発明の目的は上述した諸問題を解消乃至は少なくとも減少させることである。
【０００７】
一般的に、上述した諸目的は、特許請求の範囲の独立項によって達成される。
【０００８】
本発明の第１の態様による照明デバイスは、少なくとも第１及び第２の周波数の交流電流を供給するように構成されている少なくとも１つの交流電源と、少なくとも１つの光源と、光源に接続され、上記少なくとも１つの交流電源から上記少なくとも１つの光源を通る第１の電流の流れに影響を与える少なくとも１つのインピーダンスユニットとを含み、このインピーダンスユニットのインピーダンスは、交流電流が第１の周波数を有するときには第１の電流を比較的大きくし、交流電流が第２の周波数を有するときには第１の電流を比較的小さくするように周波数制御されるように構成されている。この第１の態様は、例えばＬＣＤディスプレイのバックライトの一部を形成することができる光源の光強度を制御する簡単な方法を提供する。コストは、従来の複雑な、及び／または高価な光強度制御法に比して低減される。
【０００９】
照明デバイスは、第１の電流を第１の方向へ流すことができるように配列された発光ダイオードを含む少なくとも１つの光源を有する第１の発光ダイオード列と、第２の電流を第２の方向へ流すことができるように配列された発光ダイオードを含む少なくとも１つの光源を有する第２の発光ダイオード列とを備え、第２の方向は第１の方向とは異なっている。２つのＬＥＤ列を使用することによって、電流はＬＥＤデバイス内を両方向に流れることができ、より簡単なアセンブリが可能になる。
【００１０】
第１の発光ダイオード列はインピーダンスユニットと並列に接続することができ、第２の発光ダイオード列はインピーダンスユニットと並列に接続することができる。並列に配列することにより、１つだけのインピーダンスユニットを使用してＬＥＤデバイス全体の光強度を制御することができる。
【００１１】
照明デバイスは複数の発光ダイオードデバイスを含むことができ、各発光ダイオードデバイスは少なくとも１つの光源と、少なくとも１つのインピーダンスユニットとを含む。発光ダイオードデバイスは直列に接続されて発光ダイオードデバイス列を形成し、発光ダイオードデバイス列は上記少なくとも１つの交流電源の少なくとも１つに接続することができる。一連のＬＥＤデバイスを直列に接続すると有利であり、このようにすると照明デバイスを使用する環境向けに効率的に製造し、簡単にアセンブルすることが可能になる。
【００１２】
複数の発光ダイオードデバイス列を並列に接続することができる。複数のＬＥＤデバイス列を並列に接続すると、全てのＬＥＤデバイス列を単一の電流源で駆動することができる。
【００１３】
全ての発光ダイオードデバイスのインピーダンスユニットのインピーダンスは、交流電源が発生させることができる如何なる周波数に対してもフォールトトレランス内で同一であることができ、１つの交流電源は全ての発光ダイオードデバイス列に交流電流を供給するように配列することができる。全てのインピーダンスユニットが如何なる周波数に対しても同一のインピーダンスを有していれば（あるフォールトトレランス内で）、全てのＬＥＤデバイスは同時に制御することができ、そして同じように挙動するであろう。更に、全てのＬＥＤデバイスが同一の仕様を有していれば、製造はより簡単になり、より経済的になる。
【００１４】
インピーダンスは各発光ダイオード列内の発光ダイオードデバイスのインピーダンスユニット間で異なることができ、１つの交流電源が全ての発光ダイオード列に交流電流を供給するように配列することができる。インピーダンスが異なる場合、個々の制御は周波数をシフトさせることによって達成することができる。
【００１５】
インピーダンスは各発光ダイオード列内の発光ダイオードデバイスのインピーダンスユニット間で異なることができ、１つの交流電源が各発光ダイオード列に交流電流を供給するように配列することができる。列毎に電流源を有する場合、各ＬＥＤデバイスの光強度は精密に制御される。
【００１６】
複数の発光ダイオード列の各列において、各列の対応する位置にある発光ダイオードデバイスのインピーダンスユニットは、交流電源が発生することができる如何なる周波数に対してもフォールトトレランス内で同一のインピーダンスを有することができる。如何なる周波数においても同一のインピーダンスを有するように対応する位置にインピーダンスユニットをディメンションすることによって、対応するＬＥＤデバイスの光強度を同時に制御することができる。もしＬＥＤ列を並列に整列させれば、これは走査効果を容易に発生することができる。
【００１７】
発光ダイオードデバイス列は、印刷回路基板上に実現させることができる。ＰＣＢを使用すると、製造が簡易化され、経済的になる。
【００１８】
少なくとも１つの光源の各々は、蛍光ランプであることができる。蛍光ランプは、より効率的な制御が得られ、所要インバータの数を減少させるという利益をももたらす。
【００１９】
照明デバイスは複数のマルチランプドライバを含むことができ、各マルチランプドライバは交流電源、複数のインピーダンスユニットを含むことができる。マルチランプドライバは、複数の蛍光ランプに電力を供給するように構成することができる。
【００２０】
インピーダンスユニットは、インダクタに並列に接続されている第１のキャパシタを含むことができる。これは、インピーダンスの周波数制御を可能にする簡単な回路である。
【００２１】
インピーダンスユニットは、上記インダクタに直列接続されている第２のキャパシタを更に含むことができる。この第２のキャパシタを接続することによって、直流電流がインピーダンスユニットを通って流れることを防ぐ。
【００２２】
照明デバイスは、液晶ディスプレイテレビジョンのためのバックライトの形状であることができる。これはバックライトを制御可能にするのに極めて有用であり、しかもこのバックライトを極めて経済的に製造可能にする。
【００２３】
本発明の第２の態様は、液晶ディスプレイと、本発明の第１の態様による照明デバイスとを含むディスプレイデバイスである。
【００２４】
本発明の第３の態様は、本発明の第２の態様によるディスプレイデバイスを含むテレビジョンデバイスである。
【００２５】
本発明の第４の態様は、照明デバイスの光強度を制御する方法であって、本方法は、少なくとも第１及び第２の周波数の交流電流を供給するように構成されている少なくとも１つの交流電源を配列するステップと、少なくとも１つの光源を接続するステップと、上記光源に接続されている少なくとも１つのインピーダンスユニットを接続し、上記少なくとも１つの交流電源から上記少なくとも１つの光源を通る第１の電流の流れに影響を与えるステップと、交流電流が第１の周波数を有するときには第１の電流を比較的大きくし、交流電流が第２の周波数を有するときには第１の電流を比較的小さくするように、周波数制御を使用してインピーダンスユニットのインピーダンスを制御するステップとを含む。
【００２６】
本発明の他の目的、特色、及び長所は、以下の詳細な説明，従属項並びに添付図面から明白になるであろう。
【００２７】
一般的に、特許請求の範囲に使用されている全ての用語は、特に明記しない限り、技術分野において一般的に使用されている意味に従って解釈すべきである。“ある／１つの／上記〔要素、デバイス、部品、手段、ステップ等〕”への全ての参照は、特に明記しない限り、要素、デバイス、部品、手段、ステップ等の少なくとも１つの事例として素直に解釈すべきである。以下に記述する何れかの方法の諸ステップは、明示してある場合以外は、開示する順序通りに遂行しなければならないものではない。
【００２８】
以下に、添付図面を参照して本発明の実施形態を詳述する。
【発明を実施するための最良の形態】
【００２９】
図１は、本発明の一実施形態によるインピーダンスユニット１０６の例を示している。インピーダンスユニット１０６は、並列接続されている第１のキャパシタ１１２及びインダクタ１１１からなる。オプションとして、直流電流がインピーダンスユニット１０６を通って流れるのを阻止するために、第２のキャパシタ１１０をインダクタ１１１と直列に接続する。それ自体は当分野において公知のように、インピーダンスユニット１０６が交流電流（ＡＣ）に接続された時に、回路のインピーダンスは交流電流の周波数の関数として変化する。図示の回路を用いた場合、このインピーダンスユニットはそのインピーダンスがピークに達する特定の周波数を有しており、この周波数をインピーダンスユニットの共振周波数、または高インピーダンス周波数と呼ぶ。共振周波数は、キャパシタ１１０、１１２のキャパシタンス及びインダクタ１１１のインダクタンスに依存する。簡単なＬＣ回路を図示したが、これは当業者が本発明を実現または使用できるようにするための単なる例である。従って、本発明はこの型のインピーダンスユニットに限定されるものではなく、周波数制御インピーダンスを有する如何なる型の回路であることもできる。
【００３０】
図２を参照すると、図１のインピーダンスユニット１０６のようなインピーダンスユニットが、少なくとも２つのＬＥＤ列と並列に接続されている。ＬＥＤ２０５ａ及び２０５ｂからなる第１のＬＥＤ列は、電流が下方へ流れるとき光を放出し、電流が上方へ流れるとき電流を阻止する。一方、第２のＬＥＤ列のＬＥＤ２０５ｃ及び２０５ｄは、逆方向に配列されており、電流が上方へ流れるとき光を放出し、下方への電流を阻止する。インピーダンスユニット２０６に接続されているＬＥＤ２０５ａ−ｄが、ＬＥＤユニット２０８を形成している。制御ユニット２０１は、交流電流（ＡＣ）または交流電圧の源であり、ＬＥＤユニット２０８を通るこの交流電流の周波数、振幅、及び直流オフセットを制御する。図３をも参照すると、電流の周波数がインピーダンスユニット２０６の共振周波数Ｆresに接近すると、インピーダンスユニット２０６のインピーダンスは比較的高くなる。従って電流は比較的容易にＬＥＤ２０５ａ−ｄを流れ、その電流は比較的大きくなる。図３から明らかなように、電流は、周波数Ｆres３０３（Ｆresはインピーダンスユニット２０６の共振周波数）でピークとなり、Ｉmax３０２の値を有する。換言すれば、ＡＣの周波数がＦresである場合に、ＬＥＤはそれらの最大の光強度を有する。従って、簡単且つ安価な部品だけを使用して交流電流の周波数を制御することによって、ＬＥＤユニット２０８の光強度が制御される。図２には示されてはいないが、ＬＥＤ列毎に１つのインピーダンスユニットを設けてもよく、この場合、各インピーダンスユニットは各ＬＥＤ列と直列に接続される。
【００３１】
図４ａに示すように、複数のＬＥＤユニット４２２ａ、４２２ｂ、・・・、４２２ｚが制御ユニット４２１ａと直列に接続されている。これらの部品は、全部一緒に、１枚の印刷回路基板（ＰＣＢ）列（ストリップ）４２０ａ上に統合することができる。同様に、第２のＰＣＢ列４２０ｂは、制御ユニット４２１ｂ及びＬＥＤユニット４２３ａ、４２３ｂ、・・・、４２３ｚを備えている。ＬＣＤ ＴＶのためのバックライトを形成させるために、制御ユニット４２１ｚ及びＬＥＤユニット４２９ａ、４２９ｂ、・・・、４２９ｚを備えたＰＣＢ列４２０ｚを含む任意数のＰＣＢ列を組合せることができる。ＰＣＢ列は、水平に、垂直に、放射状に、斜めに、または他の何等かの適当な手法で配列することができる。各ＰＣＢ列が、任意数のＬＥＤユニットを収容し得ることに留意されたい。
【００３２】
もし、各ＰＣＢ列内の各ＬＥＤユニットの共振周波数が互いに異なるように構成されていれば、光強度の二次元制御を可能にするマトリックスが有効に作成される。ＰＣＢ列全体の光強度は、当該ＰＣＢ列のためのＡＣの振幅によって影響される。バックライトに対する特定の光出力要求に適合するために、オプションとして、列内のＬＥＤユニットの帯域通過特性が重なりあってもよい。例えば、これは、１つのゾーンから別のゾーンへの滑らかな移行が必要な場合に必要であるかも知れない。
【００３３】
図４ｂは、調光及び走査だけのための単純化された配列を示している。この場合、必要な制御ユニットは１つだけでよいので、コストが削減される。第１のＰＣＢ列４３０ａは、ＬＥＤユニット４３２ａ、４３２ｂ、・・・、４３２ｚを備える。第２のＰＣＢ列４３０ｂは、ＬＥＤユニット４３３ａ、４３３ｂ、・・・、４３３ｚを備え、任意数のＰＣＢ列の最後のＰＣＢ列４３０ｚは、ＬＥＤユニット４３９ａ、４３９ｂ、・・・、４３９ｚを備える。この配列では１つの制御ユニット４３１が全てのＰＣＢ列のための電流を供給しており、そのため個々の列の電流を制御することはできない。一方、電流の周波数を制御することによって、各光列内の異なるＬＥＤユニットについて光強度を制御することができる。一実施形態では、各列の同一位置内のＬＥＤユニットの共振周波数を同一であるように選択する（１、５、また１０％のような、所与のフォールトトレランス内で）。例えば、４３２ａ、４３３ａ、及び４３９ａが同一共振周波数を有するように選択し、４３２ｂ、４３３ｂ、及び４３９ｂが同一共振周波数を有するように選択する等である。これは、対応するＬＥＤユニットを同時に制御することを可能にし、走査（光の水平ライン）のような効果を遂行する能力をもたらす。更に、電流の振幅を変化させることによって、全てのＬＥＤユニットの光強度が同時に影響される。換言すれば、全てのＬＥＤユニットが調光される。別の実施形態では、全てのＬＥＤユニットが同一の共振周波数を有するように選択される。この構成では制御は多少失われるが、これは製造するのにより費用有効な構成であり得る。図４ｂのＰＣＢ列は並列に接続されているが、別の可能な構成は、ＰＣＢ列をカスケードするか、またはカスケードと並列接続の組合せである。
【００３４】
以上に、制御ユニットは、それが発生する交流電流の振幅及び周波数だけを制御できるものとして説明した。直流電流（ＤＣ）シフトを付加すると、制御ユニットはカラーバランスを制御することもできる。図５は、第１及び第２のＬＥＤユニット５０８、５１８を示している。これらのＬＥＤユニット５０８、５１８は、それぞれ第１及び第２の制御ユニット５０１／５１１に接続され、またそれぞれ第１及び第２のインピーダンスユニット５０６／５１６を有している。第１のＬＥＤユニット５０８は、１つの電流方向の赤ＬＥＤ５０５ａ、５０５ｂと、逆の電流方向の青ＬＥＤ５０５ｃ、５０５ｄとを有している。第２のＬＥＤユニットは、緑ＬＥＤ５１５ａ−ｄだけを有している。もし第１の制御ユニットが下方への直流シフトを印加すれば、赤ＬＥＤがやや大きい光強度を発生するようになる。同様に、逆方向への直流シフトは、より多くの青光を発生することになろう。第２のＬＥＤユニット５１８の場合、直流におけるゼロからの何れのシフトも緑の強度を増加させることになる。このように、これら２つのＬＥＤユニットを直流シフトさせることによって、カラーバランスを効率的に制御することができる。当業者ならば容易に理解できるように、色付きＬＥＤの他の構成を調整でき、しかも直流制御可能なカラーバランスを提供することができる。例えば、赤、緑、青及び白のＬＥＤを使用することも、または構成内にアンバー色を含むような他の色を使用することもできる。
【００３５】
図６ａは、本発明を蛍光ランプと共に使用している実施形態を示している。この例では蛍光ランプを使用しているが、白熱灯のような双方向電流を流し得る如何なる光源も使用することができる。インバータとしても知られている制御ユニット６０１は、交流電流または交流電圧の源である。この実施形態では、図１のインピーダンスユニット１０６のような３つのインピーダンスユニット６０６ａ−ｃが存在しており、それらのインピーダンスは図３に基づいて説明したように、供給される電圧の周波数に依存する。制御ユニット６０１及びインピーダンスユニット６０６ａ−ｃは、マルチランプドライバ６０９の一部である。マルチランプドライバは、その名の通り、複数のランプ（この例では、３つのランプ６０７ａ−ｃ）を駆動することができ、それらの光強度はそれぞれに接続されているインピーダンスユニット６０６ａ−ｃのインピーダンスに依存し、これらのインピーダンス自体は制御ユニット６０１からの電圧の周波数に依存する。従って、接続された蛍光ランプ６０７ａ−ｃをＬＥＤに関連して説明したのと同様の態様で駆動するように、適切な周波数特性を有するマルチランプドライバ６０９を設計することが可能である。如何なる数のライトも本発明の範囲内にあることを理解されたい。ランプ６０７ａ−ｃのデューティサイクルが約３３％またはそれ以下である状況では、図６ａに示したような配列では、３つのランプの全てを駆動するのに１つのインバータ６０１だけでよい。従来の配列では、各ランプが別個のインバータに接続されていた。従って、図６ａに示す配列は、インバータの必要数を従来配列の１／３に減少させ、コスト及び未使用率を減少させる。
【００３６】
図６ｂは、複数のマルチランプドライバ６０９ａ−ｃを使用する実施形態を示している。この例では、各マルチランプドライバ６０９ａ−ｃが３つのランプを駆動している。マルチランプドライバ６０９ａはランプ６０７ａ−ｃを駆動し、マルチランプドライバ６０９ｂはランプ６０７ｄ−ｆを駆動し、マルチランプドライバ６０９ｃはランプ６０７ｇ−ｉを駆動する。明瞭化の理由から、全電気回路図は示してない。全てのマルチランプドライバ６０９ａ−ｃは、バックライト制御ユニット６４０によって制御されている。バックライト制御ユニット６４０は、考慮すべき入力として、垂直同期、バックライトからの光フィードバック、及び／またはバックライトからの温度フィードバックも使用することができる。バックライト制御ユニット６４０からの出力は、マルチランプドライバに供給される周波数制御である。ランプ６０７ａ−ｉのレイアウトは、各行が各マルチランプドライバ６０９ａ−ｃからのランプを有するようになっている。例えば、第１のランプの行では、ランプ６０７ａがマルチランプドライバ６０９ａに接続され、ランプ６０７ｄがマルチランプドライバ６０９ｂに接続され、そしてランプ６０７ｇがマルチランプドライバ６０９ｃに接続されている。
【００３７】
以上に本発明を幾つかの実施形態に関して説明したが、当業者ならば上述した実施形態以外の実施形態を請求項記載の本発明の範囲内で考案することが可能であろう。
【図面の簡単な説明】
【００３８】
【図１】本発明の一実施形態によるインピーダンスユニットの例を示す図である。
【図２】本発明の一実施形態によるＬＥＤユニットと関連制御ユニットとを示す図である。
【図３】ＬＥＤを通る電流が図２に示すＬＥＤユニット内の周波数によって如何に影響されるかを示すグラフである。
【図４ａ】図２のＬＥＤユニットのようなＬＥＤユニットの異なる配列を示す図である。
【図４ｂ】図２のＬＥＤユニットのようなＬＥＤユニットの異なる配列を示す図である。
【図５】直流制御カラーシフトを可能にするように配列された本発明の実施形態による２つのＬＥＤユニットを示す図である。
【図６ａ】蛍光ランプを使用する本発明の実施形態を示す図である。
【図６ｂ】蛍光ランプを使用する本発明の実施形態を示す図である。
【符号の説明】
【００３９】
１０６  インピーダンスユニット
１１０  第２のキャパシタ
１１１  インダクタ
１１２  第１のキャパシタ
２０１  制御ユニット
２０５ａ−ｄ  ＬＥＤ
２０６  インピーダンスユニット
２０８  ＬＥＤユニット
４２０ａ−ｚ  回路基板（ＰＣＢ）列
４２１ａ−ｚ  制御ユニット
４２２ａ−ｚ，４２３ａ−ｚ，４２９ａ−ｚ  ＬＥＤユニット
４３０ａ−ｚ  ＰＣＢ列
４３１  制御ユニット
４３２ａ−ｚ，４３３ａ−ｚ，４３９ａ−ｚ  ＬＥＤユニット
５０１，５１１  制御ユニット
５０５ａ，ｂ  赤ＬＥＤ
５０５ｃ，ｄ  青ＬＥＤ
５１５ａ−ｄ  緑ＬＥＤ
５０６，５１６  インピーダンスユニット
５０８，５１８  ＬＥＤユニット
６０１  制御ユニット
６０６ａ−ｃ  インピーダンスユニット
６０７ａ−ｉ  蛍光ランプ
６０９，６０９ａ−ｃ  マルチランプドライバ
６４０  バックライト制御ユニット
【図１】
2009527073.tif 000003
【図２】
2009527073.tif 000004
【図３】
2009527073.tif 000005
【図４ａ】
2009527073.tif 000006
【図４ｂ】
2009527073.tif 000007
【図５】
2009527073.tif 000008
【図６ａ】
2009527073.tif 000009
【図６ｂ】
2009527073.tif 000010
【国際調査報告】
2009527073.tif 000011
2009527073.tif 000012
2009527073.tif 000013